(57)【要約】【課題】ワイヤレス受信装置を、マジックテープ（登録商標）や手製の連結金具を用いることなく、専用の連結部材を用いて２台以上連結し、且つ、非連結時にこの専用の連結部材を紛失することなく保管する。【解決手段】ワイヤレス受信装置１の筐体の互いに反対側に位置する２つの側面に、２台以上のワイヤレス受信装置１を連結する連結部材１１の一端ずつを取り付けるための２つの取り付け部３，４をそれぞれ設ける。連結時には、２台以上のワイヤレス受信装置１の各側面の１つずつの取り付け部３に、それぞれ１個の連結部材１１の一端ずつを取り付ける。非連結時には、１台のワイヤレス受信装置１の１つの側面の２つの取り付け部３，４に連結部材１１の両端を取り付けることによって連結部材１１を保管する。【選択図】図４
2008263371.tif 000002
【特許請求の範囲】
【請求項１】
電波を受信してデータを復調する受信・復調手段と、
前記受信・復調手段によって復調されたデータを出力する出力端子と
を有するワイヤレス受信装置において、
前記ワイヤレス受信装置の筐体の互いに反対側に位置する２つの側面に、２台以上の前記ワイヤレス受信装置を連結する連結部材の一端ずつを取り付けるための２つの取り付け部がそれぞれ設けられており、
１台の前記ワイヤレス受信装置に対して、前記連結部材が少なくとも１個備えられており、
２台以上の前記ワイヤレス受信装置の各々の前記側面の１つずつの前記取り付け部に、それぞれ１個の前記連結部材の一端ずつを取り付けることにより、前記２台以上の前記ワイヤレス受信装置が連結され、
１台の前記ワイヤレス受信装置の１つの前記側面の前記２つの前記取り付け部に前記連結部材の両端を取り付けることによって前記連結部材が保管されるようにした
ことを特徴とするワイヤレス受信装置。
【請求項２】
請求項１に記載のワイヤレス受信装置において、
前記２つの側面の、各々の前記取り付け部の周囲の少なくとも２箇所ずつに凸部を設け、前記連結部材に、前記凸部と勘合させるための凹部を設けたことを特徴とするワイヤレス受信装置。
【請求項３】
請求項１に記載のワイヤレス受信装置において、
前記連結部材の幅は、前記ワイヤレス受信装置の筐体の側面の幅よりも小さいことを特徴とするワイヤレス受信装置。
【請求項４】
請求項１に記載のワイヤレス受信装置において、
前記ワイヤレス受信装置の筐体の背面に、他の機器への取り付け部材を装着するため取り付け部が設けられていることを特徴とするワイヤレス受信装置。
【請求項５】
請求項１に記載のワイヤレス受信装置において、
前記受信・復調手段は音声信号を復調し、前記出力端子は音声信号出力端子であることを特徴とするワイヤレス受信装置。
【発明の詳細な説明】
【技術分野】
【０００１】
本発明は、例えば音声信号のようなデータをワイヤレスで受信する装置に関する。
【背景技術】
【０００２】
近年、テレビジョン放送の分野では、ワイヤレスマイクロホンを用いて伝送した音声を収録するという収録形態が一般的になっている。図１は、ワイヤレスマイクロホンの外観の概要を例示する図である。このうち、図１Ａは、音声の送信側の装置であるワイヤレスマイクロホントランスミッター（以下トランスミッターと呼ぶ）を示している。トランスミッター５１は、基本的な構成として、マイクロホンと、そのマイクロホンからの音声信号によって変調した電波を送信する変調・送信手段とを有している。
【０００３】
図１Ｂは、音声の受信側の装置であるワイヤレスマイクロホンレシーバー（以下レシーバーと呼ぶ）を示している。レシーバー５２は、基本的な構成として、トランスミッター５１から送信された電波を受信して音声信号を復調する受信・復調手段と、この復調した音声信号を外部に出力する音声出力端子とを有している。
【０００４】
例えばＥＮＧ取材で映像及び音声を収録する場合には、トランスミッター５１は、インタビューを行うレポーターが使用する。また、レシーバー５２の筐体に取り付け金具を装着することにより、レシーバー５２をレコーダー（ＶＴＲあるいは光ディスク装置）一体型のビデオカメラに取り付ける。そして、レシーバー５２の音声出力端子とそのビデオカメラの音声入力端子とをケーブルで接続し、ビデオカメラに入力させた音声を、ビデオカメラで撮影される映像とともにビデオカメラに収録する。
【０００５】
ところで、近年は、番組制作における音声の多チャンネル化に伴い、１台のビデオカメラに２台以上のレシーバーからの音声を入力させることも多くなっている。そうした場合、従来は、取材スタッフが、２台以上のレシーバーを、マジックテープ（登録商標）や手製の連結金具を用いて連結した状態で、ビデオカメラに取り付けるようにしていた。
【０００６】
また、ＥＮＧ取材での音声の収録形態としては、２台以上のレシーバーからの出力音声信号をオーディオミキサーでミキシングまたはスイッチングして収録するという形態も存在するが、その場合も、２台以上のレシーバーを、マジックテープ（登録商標）や手製の連結金具を用いて連結した状態で、ミキサーバッグ（音声収録担当者がオーディオミキサーとレシーバーとを入れて持ち運ぶ鞄）の中に入れていた。
【０００７】
しかし、こうした従来の連結方法は、個々人のマジックテープ（登録商標）の留め方や手製の連結金具の製作能力に依存しているため、連結状態のバラツキが大きく、連結状態が悪い場合には収録の最中に個々のレシーバーがばらばらに離れてしまうことがあった。
【０００８】
また、こうした手製の連結金具は、レシーバーを連結していないときはレシーバーとは別に保管する必要があるので、紛失するおそれがあった。
【０００９】
また特に、レシーバーをビデオカメラに取り付ける場合には、レシーバーの筐体にビデオカメラへの取り付け金具を装着するので、この取り付け金具の装着を阻害しないようにマジックテープ（登録商標）や手製の連結金具で２台以上のレシーバーを連結することや、あるいは２台以上のレシーバーの連結を阻害しないようにこの取り付け金具を装着することが困難であった。
【００１０】
なお、従来、マイクロホンやビデオカメラの分野において、録音装置側の機械的振動のマイクロホンへの伝達を防止するようにマイクロホンと録音装置とを連結する技術（特許文献１）や、ビデオカメラを専用の台座に取り付けて防水パックに収納する際の台座への取り付けを簡単に行うための技術（特許文献２）は提案されていたが、ワイヤレスマイクロホンのレシーバーを２台以上連結するための技術は提案されていなかった。
【００１１】
【特許文献１】特開平８−３１１６０号公報
【特許文献２】特開平６−１５３０３９号公報
【発明の開示】
【発明が解決しようとする課題】
【００１２】
本発明は、上述の点に鑑み、このレシーバーのようなワイヤレス受信装置を、マジックテープ（登録商標）や手製の連結金具を用いることなく、専用の連結部材を用いて２台以上連結でき、且つ、非連結時にこの専用の連結部材を紛失することなく保管できるようにすることを課題としてなされたものである。
【課題を解決するための手段】
【００１３】
本発明は、
電波を受信してデータを復調する受信・復調手段と、
前記受信・復調手段によって復調されたデータを出力する出力端子と
を有するワイヤレス受信装置において、
前記ワイヤレス受信装置の筐体の互いに反対側に位置する２つの側面に、２台以上の前記ワイヤレス受信装置を連結する連結部材の一端ずつを取り付けるための２つの取り付け部がそれぞれ設けられており、
１台の前記ワイヤレス受信装置に対して、前記連結部材が少なくとも１個備えられており、
２台以上の前記ワイヤレス受信装置の各々の前記側面の１つずつの前記取り付け部に、それぞれ１個の前記連結部材の一端ずつを取り付けることにより、前記２台以上の前記ワイヤレス受信装置が連結され、
１台の前記ワイヤレス受信装置の１つの前記側面の前記２つの前記取り付け部に前記連結部材の両端を取り付けることによって前記連結部材が保管されるようにした
ことを特徴とする。
【００１４】
このワイヤレス受信装置では、ワイヤレス受信装置の筐体の互いに反対側に位置する２つの側面に、２台以上のワイヤレス受信装置を連結する連結部材の一端ずつを取り付けるための２つの取り付け部がそれぞれ設けられている。そして、１台のワイヤレス受信装置に対して、この連結部材が少なくとも１個備えられている。
【００１５】
このワイヤレス受信装置を２台以上連結しないときは、１台のワイヤレス受信装置の１つのこの側面の２つのこの取り付け部に１個の連結部材の両端を取り付けることによって、この連結部材をワイヤレス受信装置と一体にして保管することができる。したがって、この連結部材を、紛失することなく保管することができる。
【００１６】
他方、このワイヤレス受信装置を２台以上連結するときには、その２台以上のワイヤレス受信装置の各々のこの側面の１つずつのこの取り付け部にそれぞれ１個のこの連結部材の一端ずつを取り付けることにより、隣り合う２台ずつのワイヤレス受信装置を、互いに反対側の側面に取り付けた２個ずつの連結部材で連結することができる。
【００１７】
これにより、マジックテープ（登録商標）や手製の連結金具を用いることなく、予め備えられた専用の連結部材で２台以上のワイヤレス受信装置を連結することができ、且つ、非連結時にこの専用の連結部材を紛失することなく保管できる。
【００１８】
なお、ワイヤレス受信装置の側面のみに取り付けた連結部材で２台以上のワイヤレス受信装置を連結するので、例えば、ワイヤレス受信装置の背面のほうに、他の機器への取り付け部材を装着するための取り付け部を設けることにより、その取り付け部材の装着を阻害しないように２台以上のワイヤレス受信装置を連結することや、２台以上のワイヤレス受信装置の連結を阻害しないようにその取り付け部材を装着することもできるようになる。
【発明の効果】
【００１９】
本発明に係るワイヤレス受信装置によれば、マジックテープ（登録商標）や手製の連結金具を用いることなく、予め備えられた専用の連結部材を用いて２台以上のワイヤレス受信装置を連結することができるという効果が得られる。
【００２０】
また、この専用の連結部材を、ワイヤレス受信装置を２台以上連結していないときに、紛失することなく保管できるという効果が得られる。
【発明を実施するための最良の形態】
【００２１】
以下、ワイヤレスマイクロホンのレシーバーに本発明を適用した例について、図面を用いて具体的に説明する。
【００２２】
図２〜図４は、本発明を適用したレシーバーの外観構成例を示す図である。このうち、図２は、連結板１１を取り付けた状態のレシーバー本体１を示す斜視図である。図３Ａは、連結板１１を取り付けた状態のレシーバー本体１を示す側面図である。図３Ｂは、連結板１１を取り付けた状態のレシーバー本体１の側面の部分のみを示す正面図である。図４Ａは、連結板１１を取り付けていない状態のレシーバー本体１を、連結板１１とともに示す側面図である。図４Ｂは、連結板１１を取り付けていない状態のレシーバー本体１の側面の部分のみを示す正面図である。
【００２３】
図４Ａ及び図４Ｂに示すように、レシーバー本体１の筐体の側面には、金属板２がねじ止めされている。この金属板２には、連結板１１の一端ずつを取り付けるための、互いに等しい径の２つのねじ穴３及び４が設けられている。
【００２４】
また、図４Ａ及び図４Ｂに示すように、金属板２のねじ穴３，４の周囲には、それぞれねじ穴３，４を中心とした一辺の長さａの正方形の４つの頂点のうちの３つの頂点の位置に、円柱状のダボ（凸部）５が設けられている。
【００２５】
なお、ここでいうレシーバー本体１の筐体とは、レシーバー本体１そのもののケーシングであってもよいし、レシーバー本体１を収納するキャリングケースであってもよい。
【００２６】
ねじ穴３・４間の距離ｂと、レシーバー本体１の筐体の側面の幅ｅとの関係は、２個のレシーバー本体１の筐体の正面と背面とを面接触させた（後出の図７，図８のように接触させた）ときに、一方のレシーバー本体１の筐体のねじ穴３，４と他方のレシーバー本体１の筐体のねじ穴３，４との間の距離がねじ穴３・４間の距離ｂと等しくなるように設定されている。
【００２７】
図２〜図４にはレシーバー本体１の筐体の片側の側面のみを示しているが、レシーバー本体１の筐体には、反対側の側面にもこの金属板２と全く同じ構造の金属板がねじ止めされている。
【００２８】
連結板１１は、２台以上のレシーバー本体１を連結するための長方形状の金属製の板であり、１台のレシーバー本体１に対して付属品として少なくとも１個備えられている。
【００２９】
図４Ａに示すように、連結板１１には、レシーバー本体１の筐体の金属板２のねじ穴３・４間の距離ｂと等しい距離をあけて、これらのねじ穴にねじ止めするための止めねじ１２及び１３が設けられている。
【００３０】
また、連結板１１の止めねじ１２，１３の周囲には、それぞれ止めねじ１２，１３を中心とした一辺の長さａの正方形の各頂点の位置に、金属板２のダボ５よりも僅かに径の大きい円形の穴１４が１個ずつ設けられている。
【００３１】
連結板１１の幅（長方形状の板面の短辺の長さ）ｄは、レシーバー本体１の筐体の側面の幅ｅよりも小さくなっている。
【００３２】
レシーバー本体１を２台以上連結しないときには、連結板１１は、図２，図３に示すように、レシーバー本体１の筐体の一方の側面の金属板２に、止めねじ１２，１３をそれぞれネジ穴３，４（図４Ａ）にねじ止めして取り付けることによって保管することができる。
【００３３】
このとき、前述したような止めねじ１２，１３と穴１４との位置関係及びネジ穴３，４とダボ５との位置関係から、図３Ａに示すように、連結板１１の止めねじ１２，１３の周囲の３つずつの穴１４が、金属板２のダボ５と勘合する。
【００３４】
また、前述のように連結板１１の幅はレシーバー本体１の筐体の側面の幅よりも小さいので、連結板１１がレシーバー本体１の筐体の側面からはみ出すことはない。
【００３５】
このようにして、レシーバー本体１を２台以上連結しないときは、連結板１１をレシーバー本体１と一体にして保管することができる。したがって、この連結板１１を、紛失することなく保管することができる。
【００３６】
なお、レシーバー本体１の筐体のもう一方の側面の金属板２にも同様にして別の連結板１１を取り付ければ、１台のレシーバー本体１あたり２個の連結板１１を保管することができる。
【００３７】
図５〜図８は、連結板１１を用いて２台のレシーバー本体１を連結する様子を示す図である。このうち、図５は、連結時の連結板１１の向きを示す図である。図６は、連結作業の途中の状態のレシーバー本体１を示す斜視図である。図７は、レシーバー本体１を２台連結した状態を示す斜視図である。図８Ａは、レシーバー本体１を２台連結した状態を示す側面図である。図８Ｂは、２台連結した状態の一方のレシーバー本体１の側面の部分のみを示す正面図である。
【００３８】
なお、図６〜図８では、連結する２台のレシーバー本体１のうちの一方を１−１，他方を１−２として区別して示すとともに、２個の連結板１１のうちの一方を１１−１，他方を１１−２として区別して示している。
【００３９】
レシーバー本体１−１とレシーバー本体１−２とを連結するときには、各レシーバー本体１−１，１−２に図２及び図３のように取り付けていた連結板１１−１，１１−２を、それぞれレシーバー本体１−１，１−２から一旦取り外す。
【００４０】
そして、連結板１１−１，１１−２の向きを図５のように非連結時とは９０°回転させた状態で、図６に示すように、連結板１１−１，１１−２の止めねじ１２を、レシーバー本体１−１，１−２の筐体の互いに反対側の側面の金属板２のネジ穴３（図４Ａ）にそれぞれねじ止めする。
【００４１】
続いて、図７及び図８に示すように、レシーバー本体１−１とレシーバー本体１−２とを面接触させた状態で、連結板１１−１，１１−２の止めねじ１３を、レシーバー本体１−２，１−１のほうの筐体の側面の金属板２のネジ穴３（図４Ａ）にそれぞれねじ止めする。
【００４２】
このときも、前述したような止めねじ１２，１３と穴１４との位置関係及びネジ穴３，４とダボ５との位置関係から、図８Ａに示すように、各連結板１１−１，１１−２（図では連結板１１−２は隠れている）の止めねじ１２，１３の周囲の３つずつの穴１４が、金属板２のダボ５と勘合する。
【００４３】
このようにして、レシーバー本体１−１とレシーバー本体１−２とを、互いに反対側の側面に取り付けた２個の連結板１１−１及び１１−２で連結することができる。
【００４４】
また、各連結板１１−１，１１−２の止めねじ１２，１３の周囲の３つずつの穴１４２がダボ５と勘合するので、レシーバー本体１−１とレシーバー本体１−２とが相対的に上下動するような向きへの連結板１１−１，１１−２の回転が抑止される。したがって、こうした上下動を防止して、２台のレシーバー本体１−１及び１−２を安定して連結することができる。
【００４５】
次に、図９〜図１２は、このようにして連結した２台のレシーバー本体１−１及び１−２を、レコーダー（ＶＴＲあるいは光ディスク装置）一体型のビデオカメラ２１に取り付ける様子を例示する図である。
【００４６】
図２〜図４には現れていないが、図９のレシーバー本体１−１に現れているように、レシーバー本体１の筐体の各側面の金属板２は、幾分筐体の背面側に折れ曲がった形状をしており、各金属板２のこの背面側の部分には、それぞれ２つずつのねじ穴７が設けられている。
【００４７】
ビデオカメラ２１への取り付け時には、レシーバー本体１−１に直接装着する金具として、Ｖシュー金具３２を用いる。このＶシュー金具３２は、レシーバー本体１の筐体の背面に装着するものであり、各金属板２のねじ穴７に対応した４つの止めじ穴３２ｂを有するとともに、レシーバー本体１への装着面とは反対側の面にＶ字型の突起部３２ａを有している。
【００４８】
また、ビデオカメラ２１への取り付け時には、このＶシュー金具３２のほかに、取り付け金具３１と、Ｖマウントアダプター３３とを用いる。Ｖマウントアダプター３３は、図１１に示すように、Ｖシュー金具３２の突起部３２aを差し込む形状の突起部３３aを有する金具である。取り付け金具３１は、ねじ止めによってビデオカメラ２１に直接装着する金具である。Ｖマウントアダプター３３は、ねじ止めによって取り付け金具３１に装着可能になっている。
【００４９】
レシーバー本体１−１の筐体の背面にＶシュー金具３２を装着するとともに、ビデオカメラ２１に取り付け金具３１を装着し（図１０，図１１の状態）、さらに、取り付け金具３１にＶマウントアダプター３３を装着して、Ｖシュー金具３２の突起部３２aをＶマウントアダプター３３の突起部３３aに差し込むことにより、図１２に示すように、連結した２台のレシーバー本体１−１及び１−２をビデオカメラ２１に取り付けることができる。
【００５０】
そして、レシーバー本体１−１とレシーバー本体１−２とは、その側面のみに取り付けた連結板１１−１及び１１−２で連結し、他方、これらのレシーバー本体をビデオカメラ２１に取り付けるためのＶシュー金具３２は、レシーバー本体１−１の背面のほう（連結板１１−１及び１１−２の位置と重ならない位置）に装着する。
【００５１】
したがって、レシーバー本体１−１及び１−２をビデオカメラ２１に取り付ける際に、連結板１１−１及び１１−２の存在によってビデオカメラ２１への取り付けや取り外しが阻害されることは全くなく、スムースに取り付けや取り外しを行うことができる。
【００５２】
また逆に、先にレシーバー本体１−１のみをＶシュー金具３２を用いてビデオカメラ２１に取り付けた後でレシーバー本体１−１にレシーバー本体１−２を連結するような場合にも、Ｖシュー金具３２の存在によってレシーバー本体１−２の連結や取り外しが阻害されることは全くなく、スムースに連結や取り外しを行うことができる。
【００５３】
次に、図１３は、３台のレシーバー本体１（１−１〜１−３）を、４個の連結板１１（１１−１〜１１−４）を用いて連結する様子を示す図である。２台のレシーバー本体１−１及び１−２を連結した状態では使用されていないレシーバー本体１−２の両側面の金属板２のねじ穴４（図４Ａ）のほうに新たに連結板１１−３〜１１−４（図では連結板１１−４は隠れている）をねじ止めすることにより、３台目のレシーバー本体１−３を連結する。
【００５４】
また、図１４は、２台のレシーバー本体１（１−１及び１−２）と、これらのレシーバー本体１−１及び１−２に電源を供給する電池ボックス４１とを、４個の連結板１１（１１−１〜１１−４）を用いて連結する様子を示す図である。電池ボックス４１の両側面にもレシーバー本体１の金属板２と同じ構造の金属板を設けることにより、電池ボックス４１を、図１３の３台目のレシーバー本体１−３と全く同様にして連結する。
【００５５】
連結板１１に十分な強度を持たせることにより、４個の連結板１１を用いて、この図１３や図１４に示すような連結態様を実現することも可能となる。また、図１４に示した電池ボックス４１を、図６〜図８の２台目のレシーバー本体１−２と全く同様にして１台のレシーバー本体１（１−１）に連結することももちろん可能である。
【００５６】
以上に説明したように、このレシーバー本体１は、従来のようにマジックテープ（登録商標）や手製の連結金具を用いることなく、予め備えられた専用の連結板１１を用いて、２台以上を安定して連結することができる。
【００５７】
また、レシーバー本体１を２台以上連結しないときには、この専用の連結板１１を、紛失することなく保管することができる。
【００５８】
また、ビデオカメラへの取り付け用のＶシュー金具３２（図９〜図１２）の装着を阻害しないように２台のレシーバー本体１を連結することや、２台のレシーバー本体１の連結を阻害しないようにこのＶシュー金具３２を装着することができる。
【００５９】
最後に、図１５〜図１９は、以上に示したレシーバー本体１及び連結板１１の構成のうち、金属板２のダボ５の数または形状・位置等の変更例を示す図である。
【００６０】
このうち、図１５，図１６の例は、金属板２のダボ５の数のみを変更した例である。図１５の例では、図１５Ａに示すように、ダボ５を４個（図４Ａに示したような、ねじ穴３，４を中心とした一辺の長さａの正方形の各頂点の位置に１個ずつ）設けている。
【００６１】
これにより、図１５Ｂに示すように、２台のレシーバー本体１−１及び１−２を連結したとき、各連結板１１−１，１１−２（図では連結板１１−２は隠れている）の止めねじ１２，１３の周囲の４つずつの穴１４が、金属板２のダボ５と勘合する。したがって、やはり、レシーバー本体１−１とレシーバー本体１−２とが相対的に上下動するような向きへの連結板１１−１，１１−２の回転が抑止されるので、２台のレシーバー本体１−１及び１−２を安定して連結することができる。
【００６２】
図１６の例では、図１６Ａに示すように、ダボ５を２個（図４Ａに示したような、ねじ穴３，４を中心とした一辺の長さａの正方形の頂点のうちの、１本の対角線上にある２つの頂点のみに１個ずつ）設けている。
【００６３】
この場合にも、図１６Ｂに示すように、２台のレシーバー本体１−１及び１−２を連結したとき、各連結板１１−１，１１−２（図では連結板１１−２は隠れている）の止めねじ１２，１３の周囲の４つずつの穴１４のうち、レシーバー本体１−１，１−２の幅方向（図の横方向）上の位置の異なる２つずつの穴１４が、金属板２のダボ５と勘合する。したがって、やはり、レシーバー本体１−１とレシーバー本体１−２とが相対的に上下動するような向きへの連結板１１−１，１１−２の回転が抑止されるので、２台のレシーバー本体１−１及び１−２を安定して連結することができる。
【００６４】
図１７〜図１９の例は、ダボ５の代わりに、楕円形状のダボ６をダボ５とは異なる位置に設けるとともに、連結板１１にもそれに対応した楕円形状の穴１５を設けた例である。図１７の例では、図１７Ａに示すように、金属板２のねじ穴３，４の周囲には、ねじ穴３，４を中心として、対角線の長さａの正方形を４５°傾けた形状の四角形の各頂点の位置に、１個ずつ楕円形状のダボ６が設けられている。ねじ穴３，４の上下に位置するダボ６は、長辺がレシーバー本体１の幅方向に伸びており、ねじ穴３，４の左右に位置するダボ６は、長辺がレシーバー本体１の上下方向に伸びている。
【００６５】
また、それに対応して、連結板１１の止めねじ１２，１３の周囲には、止めねじ１２，１３を中心として、対角線の長さａの正方形を４５°傾けた形状の四角形の各頂点の位置に、ダボ６よりも長径，短径がそれぞれ僅かに大きい楕円形状の穴１５が１個ずつ設けられている。
【００６６】
これにより、図１７Ｂに示すように、２台のレシーバー本体１−１及び１−２を連結したとき、各連結板１１−１，１１−２（図では連結板１１−２は隠れている）の止めねじ１２，１３の周囲の４つずつの穴１５が、金属板２のダボ６と勘合する。したがって、やはり、レシーバー本体１−１とレシーバー本体１−２とが相対的に上下動するような向きへの連結板１１−１，１１−２の回転が抑止されるので、２台のレシーバー本体１−１及び１−２を安定して連結することができる。
【００６７】
図１８の例では、図１７の例におけるダボ６の数のみを、ねじ穴３，４の上下に位置する２個のダボ６に減らしている。
【００６８】
この場合にも、図１８Ｂに示すように、２台のレシーバー本体１−１及び１−２を連結したとき、各連結板１１−１，１１−２（図では連結板１１−２は隠れている）の止めねじ１２，１３の周囲の４つずつの穴１５のうち、止めねじ１２，１３の上下に位置する２つずつの穴１５が、金属板２のダボ６のうち、レシーバー本体１の幅方向に伸びたダボ６と勘合する。したがって、やはり、レシーバー本体１−１とレシーバー本体１−２とが相対的に上下動するような向きへの連結板１１−１，１１−２の回転が抑止されるので、２台のレシーバー本体１−１及び１−２を安定して連結することができる。
【００６９】
図１９の例では、図１７の例におけるダボ６の数のみを、ねじ穴３，４の左右に位置する２個のダボ６に減らしている。
【００７０】
この場合にも、図１９Ｂに示すように、２台のレシーバー本体１−１及び１−２を連結したとき、各連結板１１−１，１１−２（図では連結板１１−２は隠れている）の止めねじ１２，１３の周囲の４つずつの穴１５のうち、レシーバー本体１−１，１−２の幅方向上の位置の異なる２つずつの穴１５が、金属板２のダボ６と勘合する。したがって、やはり、レシーバー本体１−１とレシーバー本体１−２とが相対的に上下動するような向きへの連結板１１−１，１１−２の回転が抑止されるので、２台のレシーバー本体１−１及び１−２を安定して連結することができる。
【００７１】
なお、以上の説明では、ワイヤレスマイクロホンのレシーバーに本発明を適用している。しかし、本発明は、音声信号以外のデータをワイヤレスで受信するポータブル型の受信装置にも、同様にして適用することができる。
【図面の簡単な説明】
【００７２】
【図１】ワイヤレスマイクロホンの外観の概要を例示する図である。
【図２】本発明を適用したレシーバーの外観構成例を示す図である。
【図３】本発明を適用したレシーバーの外観構成例を示す図である。
【図４】本発明を適用したレシーバーの外観構成例を示す図である。
【図５】レシーバー本体の連結時の連結板の向きを示す図である。
【図６】レシーバー本体の連結作業の途中の状態を示す図である。
【図７】レシーバー本体を２台連結した状態を示す図である。
【図８】レシーバー本体を２台連結した状態を示す図である。
【図９】２台連結したレシーバー本体をビデオカメラに取り付ける様子を例示する図である。
【図１０】２台連結したレシーバー本体をビデオカメラに取り付ける様子を例示する図である。
【図１１】２台連結したレシーバー本体をビデオカメラに取り付ける様子を例示する図である。
【図１２】２台連結したレシーバー本体をビデオカメラに取り付ける様子を例示する図である。
【図１３】レシーバー本体を３台連結する様子を示す図である。
【図１４】レシーバー本体２台と電池ボックスとを連結する様子を示す図である。
【図１５】ダボの数の変更例を示す図である。
【図１６】ダボの数の変更例を示す図である。
【図１７】ダボの形状・位置等の変更例を示す図である。
【図１８】ダボの形状・位置等の変更例を示す図である。
【図１９】ダボの形状・位置等の変更例を示す図である。
【符号の説明】
【００７３】
１，１−１，１−２  レシーバー本体、  ２  金属板、  ３，４  ねじ穴、  ５，６  ダボ、  ７  ねじ穴、  １１，１１−１，１１−２  連結板、  １２，１３  止めねじ、  １４，１５  穴、  ２１  ビデオカメラ、  ３１  取り付け金具、  ３２  Ｖシュー金具、  ３２a  突起部、  ３２ｂ  止めねじ、  ３３  Ｖマウントアダプター、  ３３a  突起部
【図１】
2008263371.tif 000003
【図２】
2008263371.tif 000004
【図３】
2008263371.tif 000005
【図４】
2008263371.tif 000006
【図５】
2008263371.tif 000007
【図６】
2008263371.tif 000008
【図７】
2008263371.tif 000009
【図８】
2008263371.tif 000010
【図９】
2008263371.tif 000011
【図１０】
2008263371.tif 000012
【図１１】
2008263371.tif 000013
【図１２】
2008263371.tif 000014
【図１３】
2008263371.tif 000015
【図１４】
2008263371.tif 000016
【図１５】
2008263371.tif 000017
【図１６】
2008263371.tif 000018
【図１７】
2008263371.tif 000019
【図１８】
2008263371.tif 000020
【図１９】
2008263371.tif 000021